(57)【要約】【課題】共通のスイッチ本体を用いて、パネルの表側からでも裏側からでも取り付け可能なスイッチ装置の取付構造を提供する。【解決手段】スイッチ本体２２には、裏差し用の係止爪４１，４２と、表差し用の係止爪４３，４４とが設けられる。取付パネルの裏側には、スイッチ装置の取付方向に応じたケーシングが設けられる。裏差し用のケーシングには、係止爪４１，４２が係止する係止孔１３，１４と、係止爪４３，４４との接触を回避する逃がし凹部１８，１９とが設けられる。表差し用のケーシングには、係止爪４１，４２との接触を回避する逃がし凹部が設けられる。スイッチ装置を裏差しする場合、係止爪４１，４２のみがケーシング１２の係止孔１３，１４に係止する。表差しする場合、係止爪４３，４４のみがケーシングの後端部に係止する。よって、取付パネルの表裏何れからでも取り付けできる。【選択図】図６
2008234848.tif 000002
【特許請求の範囲】
【請求項１】
パネルの開口部に操作部が配置された状態で前記パネルに取り付けられるスイッチ装置の取付構造において、
前記スイッチ装置は、前記操作部を有するスイッチ本体を備え、
当該スイッチ本体には、第１係止部及び第２係止部が設けられ、
前記パネルには、前記第１係止部が係止する第１被係止部、又は前記第２係止部が係止する第２被係止部が設けられ、
前記第１被係止部が設けられた前記パネルでは、前記パネルの表側から前記開口部に挿入される前記スイッチ本体の前記第１係止部が前記第１被係止部に係止するとともに、前記操作部が前記開口部に配置され、
前記第２被係止部が設けられた前記パネルでは、前記パネルの裏側から前記スイッチ本体の前記第２係止部が前記第２被係止部に係止するとともに、前記操作部が前記開口部に配置されることによって、前記スイッチ装置が前記パネルに取り付けられることを特徴とするスイッチ装置の取付構造。
【請求項２】
前記第１被係止部が設けられた前記パネルには、前記第２係止部との接触を回避する第１凹部が設けられ、
前記第２被係止部が設けられた前記パネルには、前記第１係止部との接触を回避する第２凹部が設けられていることを特徴とする請求項１に記載のスイッチ装置の取付構造。
【請求項３】
前記パネルの裏側には、前記開口部に連通し、前記スイッチ本体を嵌入させる筒体が設けられ、
当該筒体は、前記パネルの表側から前記スイッチ本体が嵌入される第１筒体、又は前記パネルの裏側から前記スイッチ本体が嵌入される第２筒体であって、
前記第１被係止部は、前記第１筒体の後端部であって、
前記第２被係止部は、前記第２筒体の側壁に設けられた係止孔であって、
前記第１係止部は、前記後端部に係止する第１係止爪であって、
前記第２係止部は、前記係止孔に係止する第２係止爪であることを特徴とする請求項１又は２に記載のスイッチ装置の取付構造。
【請求項４】
前記第１凹部は、前記第１筒体の内面に、前記第２係止爪との接触を避けるために前記第１筒体の外側に向かって凹んで設けられ、
前記第２凹部は、前記第２筒体の内面に、前記第１係止爪との接触を避けるために前記第２筒体の外側に向かって凹んで設けられていることを特徴とする請求項３に記載のスイッチ装置の取付構造。
【請求項５】
前記スイッチ本体は直方体状に形成され、
前記筒体は直方体状に形成され、
前記第１係止爪及び前記第２係止爪は、前記スイッチ本体の互いに異なる側壁の外面に各々設けられ、
前記係止孔は、前記第２係止爪に対向する前記第２筒体の側壁に設けられ、
前記第１凹部は、前記第２係止爪に対向する前記第１筒体の側壁の内面に設けられ、
前記第２凹部は、前記第１係止爪に対向する前記第２筒体の側壁の内面に設けられていることを特徴とする請求項４に記載のスイッチ装置の取付構造。
【発明の詳細な説明】
【技術分野】
【０００１】
本発明は、スイッチ装置の取付構造に関し、詳細には、パネルの開口部に対して、スイッチ本体を嵌入させて取り付けるスイッチ装置の取付構造に関する。
【背景技術】
【０００２】
従来より、車室内のインスツルメントパネルに設置されるヒータスイッチ、ハザードスイッチ、エアコンスイッチ等を１つのユニットに統合し、見切りをなくすことによってデザイン性を向上させたインテグレーションスイッチが知られている。このインテグレーションスイッチは、スイッチ本体と、該スイッチ本体の前面に固定された複数の操作ノブと、スイッチ本体の内部に設置されるＰＣボードと、該ＰＣボードを挟んで前記スイッチ本体の背面に固定されるインシュレータ等から構成されている。このようなスイッチ装置が取り付けられる取り付け用のパネルには開口部と、該開口部に連通してパネルの裏面側に突出するケーシング（筒体）が設けられている。
【０００３】
そして、このケーシングにスイッチ本体を嵌入させ、スイッチ本体に設けられた係止爪をケーシングに設けられた係止孔に係止させ、スイッチ本体に固定された複数の操作ノブを開口部に配置させることによって、スイッチ装置がパネルに取り付けられる。このような方法で取り付けられるスイッチ装置として、例えば、ケーシングに形成される係止部と、スイッチ本体に形成された被係止部とを備え、スイッチ本体をケーシングに所定寸法Ｌだけ嵌入させたときに、スイッチ本体の一部を当接させてそれ以上の嵌入を阻止するストッパをケーシングに備えた乗り物のスイッチ装置が知られている（例えば、特許文献１参照）。
【０００４】
このようなスイッチ装置の取付構造には、パネルの開口部に対して、パネルの車室側からスイッチを差し込む「表差しタイプ」と、パネルの裏側からスイッチを差し込む「裏差しタイプ」とがある。これら取付タイプの選択は、開口部から車室側に露出するスイッチ装置の操作ノブのサイズによって決められる。例えば、操作ノブがスイッチ本体の正面形状よりも大きい場合は、操作ノブをケーシング内に通すことができないので、パネルの表側から開口部を介してスイッチ本体をケーシングに嵌入して取り付け、操作ノブのみを開口部に露出させる表差しタイプが選択される。また、操作ノブがスイッチ本体の正面形状よりも小さい場合は、パネルの裏側から操作ノブが固定されたスイッチ本体を挿入して、操作ノブのみを車室側に露出させる裏差しタイプが選択される。
【特許文献１】特開２０００−３２２９６９号公報
【発明の開示】
【発明が解決しようとする課題】
【０００５】
しかしながら、上記したスイッチ装置の取付構造では、スイッチ装置がパネルに対して表差しされるか裏差しされるかによって、スイッチ本体に設けられる係止爪の向きが逆になるため、表差し用の係止爪を備えたスイッチ本体と、裏差し用の係止爪を備えたスイッチ本体とをそれぞれ用意しなければならなかった。さらに、これらスイッチ本体に対応する複数の種類のＰＣボードや、インシュレータ等を用意しなければならないため、部品コストがかかるとともに設計上手間であった。  
【０００６】
本発明は、上記の課題を解決するためになされたものであり、共通のスイッチ本体を用いて、パネルの表側からでも裏側からでも取り付け可能なスイッチ装置の取付構造を提供することを目的とする。
【課題を解決するための手段】
【０００７】
上記目的を達成するために、請求項１に係る発明のスイッチ装置の取付構造は、パネルの開口部に操作部が配置された状態で前記パネルに取り付けられるスイッチ装置の取付構造において、前記スイッチ装置は、前記操作部を有するスイッチ本体を備え、当該スイッチ本体には、第１係止部及び第２係止部が設けられ、前記パネルには、前記第１係止部が係止する第１被係止部、又は前記第２係止部が係止する第２被係止部が設けられ、前記第１被係止部が設けられた前記パネルでは、前記パネルの表側から前記開口部に挿入される前記スイッチ本体の前記第１係止部が前記第１被係止部に係止するとともに、前記操作部が前記開口部に配置され、前記第２被係止部が設けられた前記パネルでは、前記パネルの裏側から前記スイッチ本体の前記第２係止部が前記第２被係止部に係止するとともに、前記操作部が前記開口部に配置されることによって、前記スイッチ装置が前記パネルに取り付けられることを特徴とする。
【０００８】
また、請求項２に係るスイッチ装置の取付構造は、請求項１に記載の発明の構成に加え、前記第１被係止部が設けられた前記パネルには、前記第２係止部との接触を回避する第１凹部が設けられ、前記第２被係止部が設けられた前記パネルには、前記第１係止部との接触を回避する第２凹部が設けられていることを特徴とする。
【０００９】
また、請求項３に係るスイッチ装置の取付構造は、請求項１又は２に記載の発明の構成に加え、前記パネルの裏側には、前記開口部に連通し、前記スイッチ本体を嵌入させる筒体が設けられ、当該筒体は、前記パネルの表側から前記スイッチ本体が嵌入される第１筒体、又は前記パネルの裏側から前記スイッチ本体が嵌入される第２筒体であって、前記第１被係止部は、前記第１筒体の後端部であって、前記第２被係止部は、前記第２筒体の側壁に設けられた係止孔であって、前記第１係止部は、前記後端部に係止する第１係止爪であって、前記第２係止部は、前記係止孔に係止する第２係止爪であることを特徴とする。
【００１０】
また、請求項４に係るスイッチ装置の取付構造は、請求項３に記載の発明の構成に加え、前記第１凹部は、前記第１筒体の内面に、前記第２係止爪との接触を避けるために前記第１筒体の外側に向かって凹んで設けられ、前記第２凹部は、前記第２筒体の内面に、前記第１係止爪との接触を避けるために前記第２筒体の外側に向かって凹んで設けられていることを特徴とする。
【００１１】
また、請求項５に係るスイッチ装置の取付構造は、請求項４に記載の発明の構成に加え、前記スイッチ本体は直方体状に形成され、前記筒体は直方体状に形成され、前記第１係止爪及び前記第２係止爪は、前記スイッチ本体の互いに異なる側壁の外面に各々設けられ、前記係止孔は、前記第２係止爪に対向する前記第２筒体の側壁に設けられ、前記第１凹部は、前記第２係止爪に対向する前記第１筒体の側壁の内面に設けられ、前記第２凹部は、前記第１係止爪に対向する前記第２筒体の側壁の内面に設けられていることを特徴とする。
【発明の効果】
【００１２】
請求項１に係る発明のスイッチ装置の取付構造では、第１被係止部が設けられたパネルでは、スイッチ本体をパネルの表側から開口部に嵌入する。この場合、スイッチ本体の第１係止部を第１被係止部に係止するとともに、操作部が開口部に配置されることによって、スイッチ装置をパネルに取り付けることができる。一方、第２被係止部が設けられたパネルでは、パネルの裏側からスイッチ本体の第２係止部を第２被係止部に係止するとともに、操作部が開口部に配置されることによって、スイッチ装置をパネルに取り付けることができる。つまり、スイッチ本体は、パネルの表側から取り付ける表差しに対応した第１係止部と、パネルの裏側から取り付ける裏差しに対応した第２係止部とを併せ持つので、共通のスイッチ本体を用いて、パネルの表側からでも裏側からでも取り付けることができる。そして、スイッチ本体が共通であることから、設計工数の削減、製造コストの削減等を図ることができる。また、スイッチ本体が共通であることから、スイッチ本体の取り付けを誤る恐れがないので、スイッチの取付作業の単純化及び迅速化を図ることができる。
【００１３】
また、請求項２に係るスイッチ装置の取付構造では、請求項１に記載の発明の効果に加え、第１被係止部が設けられたパネルの開口部にスイッチ本体を嵌入した場合、第１凹部によって第２係止部との接触を回避できるので、第１係止部を第１被係止部に確実に係止させることができる。また、第２被係止部が設けられたパネルの開口部にスイッチ本体を嵌入した場合、第２凹部によって第１係止部との接触を回避できるので、第２係止部を第２被係止部に確実に係止させることができる。
【００１４】
また、請求項３に係るスイッチ装置の取付構造では、請求項１又は２に記載の発明の効果に加え、パネルの裏側には、スイッチ本体を嵌入させるための筒体が設けられているので、パネルに対するスイッチ本体の取付姿勢を確実に保持できる。また、筒体は、スイッチ装置の取付方向に合わせて第１筒体と第２筒体とがある。パネルの表側からスイッチ本体を嵌入させる場合は第１筒体がパネルに設けられ、パネルの裏側からスイッチ本体を嵌入させる場合は第２筒体がパネルに設けられる。そして、スイッチ本体をパネルの表側から取り付ける場合、スイッチ本体は開口部を介して第１筒体に嵌入され、第１係止爪が第１筒体の後端部に係止する。スイッチ本体をパネルの裏側から取り付ける場合、スイッチ本体は第２筒体に嵌入され、第２係止爪が第２筒体の係止孔に係止する。これにより、共通のスイッチ本体を用いて、パネルの表側からでも裏側からでもスイッチ装置をパネルに取り付けることができる。
【００１５】
また、請求項４に係るスイッチ装置の取付構造では、請求項３に記載の発明の効果に加え、スイッチ本体をパネルの表側から取り付ける場合、第１筒体にスイッチ本体が嵌入されるとともに、第２係止爪は第１凹部の内側に配置されるので、第２係止爪が第１筒体に接触することを防止できる。一方、スイッチ本体をパネルの裏側から取り付ける場合、第２筒体にスイッチ本体が嵌入されるとともに、第１係止爪は第２凹部の内側に配置されるので、第１係止爪が第２筒体に接触することを防止できる。つまり、取り付けに関与しない係止爪が筒体に接触することを回避できるので、共通のスイッチ本体を用いて、パネルの表側からでも裏側からでもスイッチ装置を容易かつスムーズにパネルに取り付けることができる。
【００１６】
また、請求項５に係るスイッチ装置の取付構造では、請求項４に記載の発明の効果に加え、スイッチ本体及び筒体は何れも直方体状に形成されているので、筒体の内側にスイッチ本体を嵌入させることができる。そして、第１筒体の第１凹部は、第２係止爪に対向する側壁の内面に設けられているので、第１筒体にスイッチ本体を嵌入させる場合は、第１凹部の内側に第２係止爪を配置することができる。一方、第２筒体の係止孔は、第２係止爪に対向する側壁に設けられ、第２筒体の第２凹部は、第１係止爪に対向する側壁の内面に設けられているので、第２筒体にスイッチ本体を嵌入させる場合は、第２係止爪を第２係止孔に係止させ、第２凹部の内側に第１係止爪を配置することができる。
【発明を実施するための最良の形態】
【００１７】
以下、本発明の一実施の形態であるスイッチ装置２０の取付構造について、図面を参照して説明する。図１は、車両１のインスツルメントパネル３の車室側を示す斜視図であり、図２は、スイッチ装置２０の分解斜視図であり、図３は、操作ノブ２６〜２８を備えたスイッチ装置２０の正面図であり、図４は、操作ノブ１２６〜１２８を備えたスイッチ装置２０の正面図であり、図５は、取付パネル１１の開口部１１ａに対して裏差しされたスイッチ装置２０の断面図であり、図６は、図５に示すＡ−Ａ線矢視方向断面図であり、図７は、取付パネル１１の開口部１１ａに対して表差しされたスイッチ装置２０の断面図であり、図８は、図７に示すＢ−Ｂ線矢視方向断面図である。なお、図３、図４の右側をスイッチ装置２０の右側とし、左側をスイッチ装置２０の左側とする。また、図５の左側を取付パネル１１の表側とし、右側を取付パネル１１の裏側とする。また、図７の左側を取付パネル１１の表側とし、右側を取付パネル１１の裏側とする。
【００１８】
はじめに、車両１のインスツルメントパネル３の構造について説明する。図１に示すように、車両１の運転席及び助手席（図示外）の前方にはインスツルメントパネル３が設けられている。このインスツルメントパネル３は、略水平の天板部４と、該天板部４の後端から車両下方に屈曲して延設された正面部５とから構成されている。そして、正面部５の中央上部には、エアコンの一対の吹出口７，８が設けられ、それら吹出口７，８の下側には、カーナビゲーション装置のディスプレイ９が設けられている。また、ディスプレイ９の下側には、正面視矩形状の開口部１０が設けられ、その開口部１０には、正面視矩形状の取付パネル１１が嵌め込まれている。さらに、その取付パネル１１の中央には、正面視矩形状の開口部１１ａが設けられている。そして、その開口部１１ａの内側には、３つの操作スイッチを１つのユニットに統合したスイッチ装置２０の操作ノブ２６，２７，２８が車室側に露出した状態で配置され、乗員による操作が可能となっている。
【００１９】
また、このスイッチ装置２０は、後述する共通のスイッチ本体２２を用いることによって、取付パネル１１の表側又は裏側から取付パネル１１に取り付けることができる。つまり、部品の共有化を図ることができる点に特徴がある。
【００２０】
次に、スイッチ装置２０の構造について説明する。図２に示すように、スイッチ装置２０は、直方体状に形成された樹脂製のスイッチ本体２２と、そのスイッチ本体２２の正面側に横並びに固定される直方体状の樹脂製の操作ノブ２６，２７，２８と、該操作ノブ２６及び操作ノブ２７の間、該操作ノブ２７及び操作ノブ２８の間に各々配置され、スイッチ本体２２の内側に各々差し込まれる略矩形状の仕切板４７，４８と、スイッチ本体２２の背面側に組み込まれる板状のＰＣボード２３と、該ＰＣボード２３を前面側に支持するとともに、スイッチ本体２２の背面側に固定されるケース状のインシュレータ２４と、該インシュレータ２４の背面中央部に固定された直方体状のコネクタ２５とから構成されている。以下、これら構成部品について個々に説明する。
【００２１】
まず、スイッチ本体２２の構造について説明する。図２，図３に示すように、スイッチ本体２２は、天壁２２ａ、右側壁２２ｂ、左側壁２２ｃ、底壁２２ｄからなる筒状に形成されたハウジングを備えている。そして、そのハウジングの内側には、スイッチ本体２２の前方に向かって延びるとともに出退可能に支持された角柱状の支持部材３６，３７，３８が横並びに設けられている。さらに、支持部材３６の頭部には、操作ノブ２６が覆設され、支持部材３７の頭部には、操作ノブ２７が覆設され、支持部材３８の頭部には、操作ノブ２８が覆設される。これにより、操作ノブ２６，２７，２８がスイッチ本体２２の前面側に出退可能に支持される。
【００２２】
次に、天壁２２ａの構造について説明する。図２，図３に示すように、天壁２２ａの外面の左右両側には、係止爪４１が各々設けられている。これら一対の係止爪４１，４１は、側面視略台形状に形成された上方に突出する突起である。そして、係止爪４１は、天壁２２ａの前端側から後端側に向かって斜め上方に延設された摺動面と、該摺動面の上部から天壁２２ａに向かって垂直に延設され、且つスイッチ本体２２の後方に対向する当接面とを備えている。これら一対の係止爪４１，４１は、スイッチ本体２２を取付パネル１１の裏側から取り付ける際に使用される部材である。
【００２３】
また、天壁２２ａの後端部の左右両側には、所定の隙間を空けて離間した一対の切り込み部６０，６０が各々設けられ、それら切り込み部６０，６０の間に、平面視矩形状の係合片５１が各々設けられている。さらに、各係合片５１の中央には、平面視矩形状の係止孔５１ａが設けられている。この係止孔５１ａには、インシュレータ２４の天壁２４ａの外面に設けられた係止爪７１が係合する。そして、この係合片５１の前端部のみが天壁２２ａと繋がっているので、外部付勢によって係合片５１，５１の各後端部が上下方向に撓むようになっている。
【００２４】
さらに、天壁２２ａの外面の左右両端部近傍には、左右両端部の前後方向の中間位置から前側に直線状に延びる角柱状の当接部３１が各々設けられている。これら一対の当接部３１，３１は、取付パネル１１に設けられた後述する裏差し用のケーシング１２の天壁１２ａ（図５，図６参照）の内面に当接させて、スイッチ本体２２の上下方向の位置決めをするための部材である。
【００２５】
次に、右側壁２２ｂの構造について説明する。図２，図３に示すように、右側壁２２ｂの外面の略中央には、係止爪４１の向きとは逆向きである係止爪４３が設けられている。この係止爪４３は、側面視略台形状に形成された右側方に突出する突起である。そして、係止爪４３は、右側壁２２ｂの後端側から前端側に向かって、右側壁２２ｂから離間する方向に斜めに延設された摺動面と、該摺動面の先端から右側壁２２ｂに向かって垂直に延設され、且つスイッチ本体２２の後方に対向する当接面とを備えている。この係止爪４３は、スイッチ本体２２を取付パネル１１の表側から取り付ける際に使用される部材である。
【００２６】
さらに、右側壁２２ｂの外面の上下両端部近傍には、上下両端部の前後方向の中間位置から前側に直線状に延びる角柱状の当接部３２が各々設けられている。これら一対の当接部３２，３２は、取付パネル１１の裏面に設けられた後述する表差し用のケーシング１２１の右側壁１２１ｂ（図７，図８参照）の内面に当接させて、スイッチ本体２２の左右方向の位置決めをするための部材である。
【００２７】
また、右側壁２２ｂの外面における前端部の上下方向の中段位置には、スイッチ本体２２の右側方に突出する角柱状の突起部６１が設けられている。この突起部６１は、取付パネル１１の表側からスイッチ装置２０を取り付ける際に、取付パネル１１の後述するケーシング１２１の段部１２２（図７参照）の内側に係止させて、スイッチ本体２２の後ろ方向への移動を制限するための部材である。
【００２８】
次に、左側壁２２ｃの構造について説明する。図３に示すように、左側壁２２ｃの構造は、右側壁２２ｂの構造と左右対称になっている。左側壁２２ｃの外面の略中央には、係止爪４３と同じ向きの係止爪４４が設けられている。この係止爪４４もスイッチ本体２２を取付パネル１１の表側から取り付ける際に使用される。さらに、左側壁２２ｃの外面の上下両端部近傍には、上下両端部の前後方向の中間位置から前側に向かって直線状に延びる角柱状の当接部３３が各々設けられている。これら一対の当接部３３，３３は、取付パネル１１の裏面に設けられた後述する表差し用のケーシング１２１の左側壁１２１ｃ（図７、図８参照）の内面に当接させて、スイッチ本体２２の左右方向の位置決めをするための部材である。また、左側壁２２ｃの外面における前端部の上下方向の中段位置にも、スイッチ本体２２の左側方に突出する角柱状の突起部６２が設けられている。この突起部６２は、突起部６１と同様に、取付パネル１１の表側からスイッチ装置２０を取り付ける際に、取付パネル１１の後述するケーシング１２１の段部１２２の内側に係止させて、スイッチ本体２２の後ろ方向への移動を制限するための部材である。
【００２９】
次に、底壁２２ｄの構造について説明する。図３に示すように、底壁２２ｄの構造は、天壁２２ａの構造と上下対象になっている。そして、底壁２２ｄの外面の左右両側には、係止爪４１の向きと同じ向きの係止爪４２が各々設けられている。この係止爪４２もスイッチ本体２２を取付パネル１１の裏側から取り付ける際に使用される。さらに、底壁２２ｄの外面の左右両端部近傍には、左右両端部の前後方向の中間位置から前側に向かって直線状に延びる角柱状の当接部３４，３４が各々設けられている。これら一対の当接部３４，３４は、取付パネル１１の裏面に設けられた後述する裏差し用のケーシング１２の底壁１２ｄ（図６参照）の内面に当接させて、スイッチ本体２２の上下方向の位置決めをするための部材である。
【００３０】
以上の構成からなるスイッチ本体２２では、図３に示すように、係止爪４１，４１と係止爪４２，４２とが互いに相対して各々配置され、係止爪４３と係止爪４４とが互いに相対して各々配置されている。そして、係止爪４１，４２が、取付パネル１１の裏側から取り付けられる場合に使用される爪であって、係止爪４３，４４が、取付パネル１１の表側から取り付けられる場合に使用される爪である。また、当接部３１〜３４は、各側壁の外面から所定厚を有し、取付パネル１１への取り付け時において、開口部１１ａに設けられたケーシング１２，１２１の側壁の内面に当接することによって、スイッチ本体２２の上下左右方向の位置決めをすることができる。
【００３１】
次に、ＰＣボード２３の構造について説明する。図２に示すように、ＰＣボード２３はスイッチ回路（図示外）が固定された長方形状のボードである。そして、スイッチ本体２２の背面側に対向して起立するＰＣボード２３の上端部近傍には、複数の差し込み孔５５が各々設けられている。これら複数の差し込み孔５５には、インシュレータ２４の後述する複数のインサート爪７５が各々差し込まれる。さらに、ＰＣボード２３の右端部近傍の中段には差し込み孔５６が設けられ、左端部近傍の中段にも差し込み孔５７が設けられている。なお、差し込み孔５６には、インシュレータ２４の後述する突起部７６が差し込まれ、差し込み孔５７には、インシュレータ２４の後述する突起部７７が差し込まれる。
【００３２】
次に、インシュレータ２４の構造について説明する。図２に示すように、インシュレータ２４は、前面側が開口されたケース状に形成され、天壁２４ａ、右側壁２４ｂ、左側壁２４ｃ、底壁２４ｄ、背壁２４ｅを備えている。そして、天壁２４ａの外面の左右両側には、一対の係止爪７１，７１が所定の隙間を空けて各々設けられている。この係止爪７１は、側面視略台形状に形成された上方に突出する突起であって、天壁２４ａの前端側から後端側に向かって斜め上方に延設された摺動面と、該摺動面の上部から天壁２４ａに向かって垂直に延設され、且つインシュレータ２４の後方に対向する当接面とを備えている。これら一対の係止爪７１，７１は、スイッチ本体２２の天壁２２ａに設けられた一対の係合片５１，５１の各係止孔５１ａに係止するようになっている。
【００３３】
さらに、天壁２４ａの前端部には、インシュレータ２４の前方に向かって突出する複数のインサート爪７５が横一列に並んで突設されている。これら複数のインサート爪７５は、ＰＣボード２３に設けられた複数の差し込み孔５５の位置に対応して各々配置されている。また、右側壁２４ｂの前端部の中段には、インシュレータ２４の前方に向かって突出する円柱状の突起部７６が設けられ、左側壁２４ｃの前端部の中段にも、インシュレータ２４の前方に向かって突出する円柱状の突起部７７が設けられている。そして、以上の構造からなる背壁２４ｅの外面の略中央には、インスツルメントパネル３の裏側に配索される配線のコネクタ（図示外）が接続される直方体状のコネクタ２５が設けられている。
【００３４】
次に、上記構成からなるスイッチ装置２０の組立方法について説明する。図２に示すように、まず、スイッチ本体２２の内側から前方に突出する３本の支持部材３６，３７，３８の各頭部に操作ノブ２６，２７，２８を各々差し込んで固定する。次いで、操作ノブ２６と操作ノブ２７との間に、仕切板４７を差し込んでスイッチ本体２２の前方内側に固定する。さらに、操作ノブ２７と操作ノブ２８との間に、仕切板４８を差し込んでスイッチ本体２２の前方内側に固定する。これにより、車室側に露出する操作ノブ２６，２７，２８の各境目が明確となるので、取付パネル１１の見栄えを向上できる。なお、スイッチ本体２２の正面形状よりも大きい操作ノブ１２６，１２７，１２８を固定する場合は、仕切板４７，４８よりも大きい仕切板１４７，１４８（図４参照）をスイッチ本体２２に差し込んで固定する。
【００３５】
次いで、ＰＣボード２３をインシュレータ２４の前面側に取り付けるため、まず、インシュレータ２４の前面側にＰＣボード２３を対向させる。そして、そのＰＣボード２３の複数の差し込み孔５５に対し、インシュレータ２４の複数のインサート爪７５を全て差し込んで固定する。さらに、ＰＣボード２３の差し込み孔５６，５７に対し、インシュレータ２４の突出部７６，７７を各々差し込んで固定する。これにより、ＰＣボード２３がインシュレータ２４の前面側に取り付けられる。
【００３６】
そして、ＰＣボード２３が取り付けられたインシュレータ２４の前面側を、スイッチ本体２２の背面側に対向させ、スイッチ本体２２の内側に押し込む。すると、インシュレータ２４の天壁２４ａに設けられた一対の係止爪７１，７１が、スイッチ本体２２の天壁２２ａに設けられた一対の係合片５１，５１に当接する。さらに、スイッチ本体２２を押し込むと、係合片５１，５１が係止爪７１，７１の各摺動面を摺動して上方に撓み、係止爪７１，７１が係合片５１，５１の係止孔５１ａ，５１ａに達すると、係合片５１，５１の弾性復帰力によって、係止孔５１ａ，５１ａに係止爪７１，７１が係止し、係合片５１，５１が元の形状に戻る。これにより、インシュレータ２４がスイッチ本体２２の背面側の内側にがたつき無く固定される。こうして、図３に示すスイッチ装置２０の組み立てが完了する。なお、操作ノブ１２６，１２７，１２８が支持されたスイッチ装置２０の場合は、図４に示す正面形状となる。
【００３７】
次に、操作ノブのサイズと、取付パネル１１に対するスイッチ装置２０の取付方向との関係について説明する。操作ノブの形状やサイズは、図１に示す取付パネル１１の周囲を取り囲むインスツルメントパネル３のデザインに合わせて決められる。そして、その操作ノブのサイズによっては、取付パネル１１の裏面側に設けられた後述するケーシング１２又はケーシング１２１の内側に挿入できる場合とできない場合とがある。これは、ケーシング１２，１２１の口径は、スイッチ本体２２を内側に挿入できる程度に調整されているためである。よって、操作ノブのサイズがスイッチ本体２２の正面形状よりも小さい場合は、操作ノブをケーシング１２の内側に挿入できるので、スイッチ装置２０を取付パネル１１の裏側から取り付ける。例えば、図３に示す操作ノブ２６，２７，２８は、スイッチ本体２２の正面形状よりも小さいサイズであるので、取付パネル１１の裏側から取り付けられる。
【００３８】
これとは反対に、操作ノブのサイズがスイッチ本体２２の正面形状よりも大きい場合は、操作ノブをケーシング１２の内側に挿入できないので、スイッチ装置２０を取付パネル１１の表側から取り付ける。例えば、図４に示す操作ノブ１２６，１２７，１２８は、スイッチ本体２２の正面形状よりも大きいサイズであるので、取付パネル１１の表側から取り付けられる。このように、操作ノブのサイズによって、スイッチ装置２０の取り付け方向が決められる。
【００３９】
次に、取付パネル１１の構造について説明する。図１に示す取付パネル１１の裏側には、開口部１１ａに相当する位置に、スイッチ装置２０のスイッチ本体２２を嵌入させて位置決めするための角筒状のケーシング１２（図５参照）又はケーシング１２１（図７参照）が一体的に設けられる。そして、この取付パネル１１に設けられるケーシングは、スイッチ装置２０の取付方向によって異なる。例えば、スイッチ装置２０が取付パネル１１の裏側から取り付けられる「裏差しタイプ」の場合は、図５に示す裏差し用のケーシング１２が設けられる。一方、スイッチ装置２０が取付パネル１１の表側から取り付けられる「表差しタイプ」の場合は、図７に示す表差し用のケーシング１２１が設けられる。これらケーシング１２，１２１は、何れも取付パネル１１の裏面から、該裏面に対して直角に延設されている。以下、ケーシング１２，１２１の構造について個々に説明する。
【００４０】
まず、裏差し用のケーシング１２の構造について説明する。図５、図６に示すように、ケーシング１２は角筒状に形成され、天壁１２ａ、右側壁１２ｂ、左側壁１２ｃ、底壁１２ｄから構成されている。天壁１２ａの左右両側には、係止孔１３が各々設けられている。これら一対の係止孔１３，１３は、スイッチ本体２２の天壁２２ａに設けられた一対の係止爪４１，４１に相対する位置に各々配置されている。そして、底壁１２ｄの左右両側にも、係止孔１４が各々設けられている。この係止孔１４は、スイッチ本体２２の底壁２２ｄに設けられた一対の係止爪４３，４３に相対する位置に各々配置されている。これにより、ケーシング１２にスイッチ本体２２が挿入された場合、一対の係止孔１３，１３に一対の係止爪４１，４１が係止し、一対の係止孔１４，１４に一対の係止爪４３，４３が係止するようになっている。
【００４１】
また、図６に示すように、右側壁１２ｂの上下方向の中段位置には、右側方に向かって断面コの字型に屈曲する逃がし凹部１８が設けられ、該逃がし凹部１８は、右側壁１２ｂの前端部から後端部まで略水平に延設されている。そして、左側壁１２ｃの上下方向の中段位置にも、左側方に向かって断面コの字型に屈曲する逃がし凹部１９が設けられ、該逃がし凹部１９は、左側壁１２ｃの前端部から後端部まで略水平に延設されている。ここで、逃がし凹部１８は、スイッチ本体２２の右側壁２２ｂに設けられた係止爪４３に相対する位置に配置されている。一方、逃がし凹部１９は、スイッチ本体２２の左側壁２２ｃに設けられた係止爪４４に相対する位置に配置されている。これにより、ケーシング１２にスイッチ本体２２が裏差しされた場合、逃がし凹部１８の内側にスイッチ本体２２の係止爪４３が配置され、逃がし凹部１９の内側にスイッチ本体２２の係止爪４４が配置されるようになっている。
【００４２】
また、図５に示すように、ケーシング１２の天壁１２ａの内面と、取付パネル１１の裏面との間には、２枚の矩形状のストッパ板１６が天壁１２ａの左右両側に相当する位置に各々立設されている。一方、ケーシング１２の底壁１２ｄの内面と、取付パネル１１の裏面との間にも、２枚の矩形状のストッパ板１６が底壁１２ｄの左右両側に相当する位置に各々立設されている。これら４枚のストッパ板１６の各後端部には、ケーシング１２に挿入されたスイッチ本体２２の前端部が当接するようになっている。さらに、４枚のストッパ板１６の各後端部にスイッチ本体２２の前端部が当接すると同時に、スイッチ本体２２の係止爪４１，４３が、ケーシング１２の係止孔１３，１４に各々係止するようになっている。これにより、スイッチ本体２２がケーシング１２の前方向への抜けを防止できる。
【００４３】
次に、表差し用のケーシング１２１の構造について説明する。図７、図８に示すように、ケーシング１２１は角筒状に形成され、天壁１２１ａ、右側壁１２１ｂ、左側壁１２１ｃ、底壁１２１ｄから構成されている。そして、ケーシング１２１の長さは、ケーシング１２の長さよりも短く調整されている。さらに、ケーシング１２１の側壁には、内側に屈曲する段部１２２が設けられ、該段部１２２よりも後端側は、前端側よりもその断面積が小さくなっている。そして、この段部１２２の内面に、スイッチ本体２２の右側壁２２ｂ及び左側壁２２ｃに各々設けられた突起部６１，６２（図２，図３，図４参照）が係止するようになっている。
【００４４】
また、図８に示すように、天壁１２１ａの左右両側には、上方向に向かって断面コの字型に屈曲する逃がし凹部１１８が各々設けられている。これら一対の逃がし凹部１１８，１１８は、天壁１２１ａの前端部から後端部まで略水平に各々延設されている。そして、底壁１２１ｄの左右両側にも、下方向に向かって断面コの字型に屈曲する逃がし凹部１１９が各々設けられている。これら一対の逃がし凹部１１９，１１９は、底壁１２１ｄの前端部から後端部まで略水平に各々延設されている。ここで、逃がし凹部１１８，１１８は、スイッチ本体２２の天壁２２ａに設けられた係止爪４１，４１に各々相対する位置に配置されている。一方、逃がし凹部１１９，１１９は、スイッチ本体２２の底壁２２ｄに設けられた係止爪４２，４２に各々相対する位置に配置されている。これにより、ケーシング１２１にスイッチ本体２２が表差しされた場合、逃がし凹部１１８，１１８の内側にスイッチ本体２２の係止爪４１，４１が各々配置され、逃がし凹部１１９，１１９の内側にスイッチ本体２２の係止爪４２，４２が各々配置されるようになっている。
【００４５】
そして、このようなケーシング１２１にスイッチ本体２２が表差しされた場合、スイッチ本体２２の係止爪４３，４４は、ケーシング１２１の右側壁１２１ｂの後端部と、左側壁１２１ｃの後端部とに各々係止する。よって、ケーシング１２１には、ケーシング１２の係止孔１３，１４のような係止孔は設けられていない。
【００４６】
次に、スイッチ装置２０の取り付け方法について説明する。まず、取付パネル１１の裏側からの取り付け方法について説明する。図５に示すように、まず、スイッチ装置２０を取付パネル１１の裏側に配置する。そして、操作ノブ２６，２７，２８が支持されたスイッチ本体２２の前面側をケーシング１２の内側に挿入する。すると、スイッチ本体２２の天壁２２ａに設けられた一対の係止爪４１，４１の摺動面に、ケーシング１２の天壁１２ａの内面が摺動するため、天壁１２ａが押し上げられて変形する。一方、図６に示すように、スイッチ本体２２の底壁２２ｄに設けられた一対の係止爪４２，４２の摺動面に、ケーシング１２の底壁１２ｄの内面が摺動するため、底壁１２ｄが押し下げられて変形する。また、スイッチ本体２２の右側壁２２ｂに設けられた係止爪４３及び突起部６１は、ケーシング１２の逃がし凹部１８の内側を移動し、スイッチ本体２２の左側壁２２ｃに設けられた係止爪４４及び突起部６２も同様に、ケーシング１２の逃がし凹部１９の内側を移動する。
【００４７】
そして、図５，図６に示すように、スイッチ本体２２の係止爪４１，４２が、ケーシング１２の天壁１２ａ及び底壁１２ｄに各々設けられた係止孔１３，１４に達すると、係止爪４１，４２が係止孔１３，１４に各々係止するとともに、ケーシング１２の天壁１２ａ，底壁１２ｄが自身の弾性復帰力によって元の形状に戻る。さらに、これと同時に、ケーシング１２の内側に設けられた４枚のストッパ板１６の各後端部に対して、スイッチ本体２２の前面側が当接する。つまり、スイッチ本体２２は、係止爪４１，４２が係止孔１３，１４に係止することによって、取付パネル１１の後方への移動が制限され、ストッパ板１６にスイッチ本体２２の前面側が当接することによって、取付パネル１１の前方への移動が制限される。よって、スイッチ本体２２の前後方向における位置決めがなされる。さらに、スイッチ本体２２の各側壁の外面に設けられた当接部３１〜３４は、ケーシング１２の各側壁の内面に隙間なく当接する。これにより、スイッチ本体２２がケーシング１２に対して嵌入した状態となるため、スイッチ本体２２の上下左右方向における位置決めがなされる。
【００４８】
また、スイッチ本体２２の前面に支持された３つの操作ノブ２６〜２８は、取付パネル１１の開口部１１ａを介して車室側に露出される。これにより、乗員によるスイッチ装置２０の操作が可能になる。このように、裏差しによってスイッチ本体２２をケーシング１２に挿入した場合は、裏差し用の係止爪４１，４２のみがケーシング１２の係止孔１３，１４に各々係止し、表差し用の係止爪４３，４４は逃がし凹部１８，１９によってケーシング１２に接触しないので、取付パネル１１の裏側からスイッチ装置２０を簡単かつスムーズに取り付けることができる。
【００４９】
次に、取付パネル１１の表側からの取り付け方法について説明する。図７に示すように、まず、スイッチ装置２０を取付パネル１１の表側に配置する。そして、操作ノブ１２６，１２７，１２８が支持されたスイッチ本体２２の前面側とは反対の背面側を、開口部１１ａを介して、ケーシング１２１の内側に挿入する。すると、スイッチ本体２２の右側壁２２ｂに設けられた係止爪４３の摺動面に、ケーシング１２１の右側壁１２１ｂの内面が摺動するため、右側壁１２１ｂが右側方に広げられて変形する。一方、スイッチ本体２２の左側壁２２ｃに設けられた係止爪４４の摺動面に、ケーシング１２１の左側壁１２１ｃの内面が摺動するため、左側壁１２１ｃが左側方に広げられて変形する。また、図８に示すように、スイッチ本体２２の天壁２２ａに設けられた一対の係止爪４１，４１は、ケーシング１２１の天壁１２１ａに設けられた一対の逃がし凹部１１８，１１８の内側を移動し、スイッチ本体２２の底壁２２ｄに設けられた一対の係止爪４２，４２も同様に、ケーシング１２１の底壁１２１ｄに設けられた一対の逃がし凹部１１９，１１９の内側を移動する。
【００５０】
そして、スイッチ本体２２の係止爪４３，４４が、ケーシング１２１の右側壁１２１ｂ及び底壁１２１ｄの各後端部に達すると、係止爪４３，４４がケーシング１２１の右側壁１２１ｂ及び左側壁１２１ｃの各後端部に各々係止するとともに、ケーシング１２１の右側壁１２１ｂ，左側壁１２１ｃが自身の弾性復帰力によって元の形状に戻る。さらに、これと同時に、右側壁１２１ｂに設けられた突起部６１が、ケーシング１２１の右側壁１２１ｂにおける段部１２２の内面に係止し、左側壁１２１ｃに設けられた突起部６２が、ケーシング１２１の左側壁１２１ｃにおける段部１２２の内面に係止する。つまり、スイッチ本体２２は、係止爪４３，４４がケーシング１２１の右側壁１２１ｂ及び左側壁１２１ｃの各後端部に各々係止することによって、取付パネル１１の前方への移動が制限され、スイッチ本体２２に設けられた突起部６１，６２がケーシング１２１の段部１２２の内面に係止することによって、取付パネル１１の後方への移動が制限される。よって、スイッチ本体２２の前後方向における位置決めがなされる。さらに、スイッチ本体２２の各側壁の外面に設けられた当接部３１〜３４は、ケーシング１２の各側壁の内面に隙間なく当接する。これにより、スイッチ本体２２がケーシング１２１に対して嵌入した状態となるため、スイッチ本体２２の上下左右方向における位置決めがなされる。
【００５１】
また、スイッチ本体２２の前面に支持された３つの操作ノブ１２６〜１２８は、取付パネル１１の開口部１１ａを介して車室側に露出される。そして、操作ノブ１２６〜１２８は、スイッチ本体２２の正面形状を覆い、且つ開口部１１ａを閉塞するように配置されるので、インスツルメントパネル３のデザインと一体化させることができる。このように、表差しによってスイッチ本体２２をケーシング１２１に挿入した場合は、表差し用の係止爪４３，４４のみがケーシング１２の後端部に各々係止し、裏差し用の係止爪４１，４２は逃がし凹部１１８，１１９によってケーシング１２に接触しないので、取付パネル１１の表側からスイッチ装置２０を簡単かつスムーズに取り付けることができる。
【００５２】
なお、上記説明において、図１に示す取付パネル１１が本発明の「パネル」に相当し、図２に示す操作ノブ２６〜２８、図４に示す操作ノブ１２６〜１２８が本発明の「操作部」に相当し、図５に示すケーシング１２が本発明の「第２筒体」に相当し、図７に示すケーシング１２１が本発明の「第１筒体」に相当し、図５に示す係止孔１３，１４が本発明の「係止孔」に相当し、図５に示す係止爪４１，４２が本発明の「第２係止爪」に相当し、図７に示す係止爪４３，４４が本発明の「第１係止爪」に相当し、図６に示す逃がし凹部１８，１９が本発明の「第２凹部」に相当し、図８に示す逃がし凹部１１８，１１９が本発明の「第１凹部」に相当する。
【００５３】
以上説明したように、本実施形態のスイッチ装置２０の取付構造では、スイッチ本体２２の側壁の外面に、裏差し用の係止爪４１，４２と、表差し用の係止爪４３，４４とを各々設け、取付パネル１１の裏側にその取付方向に応じたケーシングを設けることによって、取付パネル１１の表側、裏側の何れ側からでもスイッチ装置２０を取付パネル１１に取り付けることができる。例えば、スイッチ装置２０を裏側から取り付ける場合、取付パネル１１にはケーシング１２が設けられる。ケーシング１２には、裏差し用の係止爪４１、４２が各々係止する係止孔１３，１４と、表差し用の係止爪４３，４４との接触を回避するための逃がし凹部１８，１９とが各々設けられている。これにより、裏差し用の係止爪４１，４２のみがケーシング１２の係止孔１３，１４に各々係止し、表差し用の係止爪４３，４４は逃がし凹部１８，１９によってケーシング１２に接触しないので、取付パネル１１の裏側からスイッチ装置２０を簡単かつスムーズに取り付けることができる。
【００５４】
また、スイッチ装置２０を表側から取り付ける場合、取付パネル１１にはケーシング１２１が設けられる。ケーシング１２１には、表差し用の係止爪４１，４２との接触を回避するための逃がし凹部１１８，１１９が各々設けられている。これにより、表差し用の係止爪４３，４４のみがケーシング１２の後端部に各々係止し、裏差し用の係止爪４１，４２は逃がし凹部１１８，１１９によってケーシング１２１に接触しないので、取付パネル１１の表側からスイッチ装置２０を簡単かつスムーズに取り付けることができる。これにより、共通のスイッチ本体２２を用いることによって、取付パネル１１の表側、裏側の何れ側からでも取り付けることができるので、部品の共有化を図ることができる。
【００５５】
なお、本発明は、上記の各実施形態に限定されることなく、各種の変形が可能である。例えば、ケーシング１２１には、係止爪４３，４４が係止するための係止孔は設けられていないが、ケーシング１２の係止孔１３，１４のような係止孔をもけてもよい。
【００５６】
また、上記実施形態では、スイッチ本体２２の側壁に係止爪を設け、取付パネル１１に設けられるケーシング１２，１２１に、係止爪との接触を避けるための逃がし凹部を設けたが、例えば、ケーシング１２，１２１側に係止爪を設け、スイッチ本体２２側に逃がし凹部を設けてもよい。
【００５７】
さらに、係止爪４１，４２，４３，４４の位置は、上記実施形態の一例に限定されず、これとは異なった位置に配置してもよい。
【産業上の利用可能性】
【００５８】
本発明にかかるスイッチ装置の取付構造は、車両に限らず、各種装置に設けられたパネルに取り付けられるスイッチ装置にも適用可能である。
【図面の簡単な説明】
【００５９】
【図１】車両１のインスツルメントパネル３の車室側を示す斜視図である。
【図２】スイッチ装置２０の分解斜視図である。
【図３】操作ノブ２６〜２８を備えたスイッチ装置２０の正面図である。
【図４】操作ノブ１２６〜１２８を備えたスイッチ装置２０の正面図である。
【図５】取付パネル１１の開口部１１ａに対して裏差しされたスイッチ装置２０の断面図である。
【図６】図６は、図５に示すＡ−Ａ線矢視方向断面図である。
【図７】取付パネル１１の開口部１１ａに対して表差しされたスイッチ装置２０の断面図である。
【図８】図７に示すＢ−Ｂ線矢視方向断面図である。
【符号の説明】
【００６０】
１    車両
１    車両
１１    取付パネル
１１ａ  開口部
１２    ケーシング
１８    逃がし凹部
１９    逃がし凹部
２０    スイッチ装置
２２    スイッチ本体
２６〜２８    操作ノブ
４１    係止爪
４２    係止爪
４３    係止爪
４４    係止爪
１１８    逃がし凹部
１１９    逃がし凹部
１２１    ケーシング
１２１    段部
１２６，１２７，１２８    操作ノブ
【図１】
2008234848.tif 000003
【図２】
2008234848.tif 000004
【図３】
2008234848.tif 000005
【図４】
2008234848.tif 000006
【図５】
2008234848.tif 000007
【図６】
2008234848.tif 000008
【図７】
2008234848.tif 000009
【図８】
2008234848.tif 000010